(57)【要約】【課題】受信特性が良好なデジタルテレビジョンアンテナを提供する。【解決手段】デジタルテレビジョンアンテナ１００は、第１の表面と、第１の表面と表裏の関係にある第２の表面とを有する基板１２０上に配置され、接地面１０８、第１の放射導体１０２、第２の放射導体１０４および第３の放射導体１０６を備える。接地面１０８は、第１の表面１２０ａ上に配置される。第１の放射導体１０２は、第１の表面１２０ａ上に配置され、第１の側部と、第１の側部に対向した第２の側部と、を有する。第２の放射導体１０４は、第２の表面上に配置されて第１の放射導体１０２に接続される。第３の放射導体１０６は、第２の表面１２０ｂ上に配置されて第２の放射導体１０４に接続される。【選択図】図１
2010041704.tif 000002
【特許請求の範囲】
【請求項１】
第１の表面と、前記第１の表面と表裏の関係にある第２の表面とを有する基板上に配置され、接地面、第１の放射導体、第２の放射導体および第３の放射導体を備えたデジタルテレビジョンアンテナであって、
前記接地面は、前記第１の表面上に配置され、接地点を有する主接地面と、前記主接地面から延伸された延伸接地面と、を有し、
前記第１の放射導体は、前記第１の表面上に配置され、第１の側部と、前記第１の側部に対向した第２の側部と、を有し、前記第１の放射導体は、前記接地面に接続され、前記第１の放射導体の前記第１の側部と、前記延伸接地面との間には所定距離が設けられ、前記第１の放射導体上には給電点が設けられ、
前記第２の放射導体は、前記第２の表面上に配置されて前記第１の放射導体に接続され、前記第２の放射導体の一部は前記第１の側部を第１の距離で跨ぎ、前記第１の放射導体と重ね合わせ領域を形成し、前記第１の距離は少なくとも０．６ｍｍであり、
前記第３の放射導体は、前記第２の表面上に配置されて前記第２の放射導体に接続され、前記第３の放射導体の一部は前記第２の側部を第２の距離で跨ぎ、前記第１の放射導体と重ね合わせ領域を形成し、前記第２の距離は少なくとも０．２ｍｍであることを特徴とするデジタルテレビジョンアンテナ。
【請求項２】
前記第１の放射導体、前記第２の放射導体および前記第３の放射導体は、４７０ＭＨｚ〜８７０ＭＨｚのデジタルテレビジョン周波数帯を受信することを特徴とする請求項１に記載のデジタルテレビジョンアンテナ。
【請求項３】
前記第１の距離は０．６ｍｍ〜３．６ｍｍの間であり、前記第２の距離は０．２ｍｍ〜３．６ｍｍの間であることを特徴とする請求項１に記載のデジタルテレビジョンアンテナ。
【請求項４】
前記第１の放射導体と接続され、１３０ｍｍよりも短い第１の延伸金属アームをさらに備えることを特徴とする請求項１に記載のデジタルテレビジョンアンテナ。
【請求項５】
前記第３の放射導体と接続され、１３０ｍｍよりも短い第２の延伸金属アームをさらに備えることを特徴とする請求項１に記載のデジタルテレビジョンアンテナ。
【請求項６】
前記延伸接地面は、第１の延伸部、第２の延伸部および第３の延伸部を有する逆Ｕ字状であり、
前記第１の放射導体は、第１の主放射端部および第１の接続端部を有し、
前記第１の主放射端部は、所定距離により前記第１の延伸部の側部に配列され、
前記第１の接続端部は、前記第２の延伸部の側部に配列されることを特徴とする請求項１に記載のデジタルテレビジョンアンテナ。
【請求項７】
前記第１の接続端部には、基板に穿設された少なくとも１つのホールが設けられ、当該ホールにより前記第１の放射導体と前記第２の放射導体とが接続されることを特徴とする請求項６に記載のデジタルテレビジョンアンテナ。
【請求項８】
前記所定距離は０．８ｍｍであることを特徴とする請求項１に記載のデジタルテレビジョンアンテナ。
【請求項９】
前記第２の放射導体は、第２の主放射端部および第２の接続端部を有し、
前記第２の接続端部は、前記第２の主放射端部の側部から延伸され、前記第２の主放射端部の前記側部と平行に配列され、前記第２の主放射端部と前記第２の接続端部との間の距離は１．５ｍｍであることを特徴とする請求項１に記載のデジタルテレビジョンアンテナ。
【請求項１０】
前記第２の放射導体から延伸され、前記第２の放射導体の動作周波数を調整することが可能な第１の凸部と、前記第３の放射導体から延伸され、前記第３の放射導体の動作周波数を調整することが可能な第２の凸部と、をさらに備えることを特徴とする請求項１に記載のデジタルテレビジョンアンテナ。
【請求項１１】
第１の表面と、前記第１の表面と表裏の関係にある第２の表面とを有する基板上に配置され、接地面、第１の放射導体、第１の延伸金属アーム、第２の放射導体、第３の放射導体および第２の延伸金属アームを備えたデジタルテレビジョンアンテナであって、
前記接地面は、前記第１の表面上に配置され、接地点を有する主接地面と、前記主接地面から延伸された逆Ｕ字状の延伸接地面と、を有し、
前記第１の放射導体は、前記第１の表面上に配置され、第１の側部と、前記第１の側部に対向した第２の側部と、を有し、前記第１の放射導体は、前記接地面に接続され、前記第１の放射導体の前記第１の側部と、前記延伸接地面との間には所定距離が設けられ、前記第１の放射導体上には給電点が設けられ、
前記第１の延伸金属アームは、前記第１の放射導体に接続され、
前記第２の放射導体は、前記第２の表面に配置されて前記第１の放射導体に接続され、前記第２の放射導体の一部は前記第１の側部を第１の距離で跨ぎ、前記第１の放射導体と重ね合わせ領域を形成し、
前記第３の放射導体は、前記第２の表面上に配置されて前記第２の放射導体に接続され、前記第３の放射導体の一部は前記第２の側部を第２の距離で跨ぎ、前記第１の放射導体と重ね領域を形成し、
前記第２の延伸金属アームは、前記第３の放射導体と接続されていることを特徴とするデジタルテレビジョンアンテナ。
【請求項１２】
前記第１の放射導体、前記第２の放射導体および前記第３の放射導体は、４７０ＭＨｚ〜８７０ＭＨｚのデジタルテレビジョン周波数帯を受信することを特徴とする請求項１１に記載のデジタルテレビジョンアンテナ。
【請求項１３】
前記第１の距離は０．６ｍｍ〜３．６ｍｍの間であり、前記第２の距離は０．２ｍｍ〜３．６ｍｍの間であることを特徴とする請求項１１に記載のデジタルテレビジョンアンテナ。
【請求項１４】
前記第１の延伸金属アームは、１３０ｍｍよりも短く、
前記第２の延伸金属アームは、１３０ｍｍよりも短いことを特徴とする請求項１１に記載のデジタルテレビジョンアンテナ。
【請求項１５】
前記延伸接地面は、第１の延伸部、第２の延伸部および第３の延伸部を有する逆Ｕ字状であり、
前記第１の放射導体は、第１の主放射端部および第１の接続端部を含み、
前記第１の主放射端部は、所定距離により前記第１の延伸部の側部に配列され、
前記第１の接続端部は、前記第２の延伸部の側部に配列されることを特徴とする請求項１１に記載のデジタルテレビジョンアンテナ。
【請求項１６】
前記第１の接続端部には、基板に穿設された少なくとも１つのホールが設けられ、当該ホールにより前記第１の放射導体と前記第２の放射導体とが接続されることを特徴とする請求項１５に記載のデジタルテレビジョンアンテナ。
【請求項１７】
前記所定距離は０．８ｍｍであることを特徴とする請求項１１に記載のデジタルテレビジョンアンテナ。
【請求項１８】
前記第２の放射導体は、第２の主放射端部および第２の接続端部を備え、
前記第２の接続端部は、前記第２の主放射端部の側部から延伸され、前記第２の主放射端部の前記側部と平行に配列され、前記第２の主放射端部と前記第２の接続端部との間の距離は１．５ｍｍであることを特徴とする請求項１１に記載のデジタルテレビジョンアンテナ。
【請求項１９】
前記第２の放射導体から延伸され、前記第２の放射導体の動作周波数を調整することが可能な第１の凸部と、前記第３の放射導体から延伸され、前記第３の放射導体の動作周波数を調整することが可能な第２の凸部と、をさらに備えることを特徴とする請求項１１に記載のデジタルテレビジョンアンテナ。
【発明の詳細な説明】
【技術分野】
【０００１】
本発明はアンテナ装置に関し、特に、デジタルテレビジョン信号を受信することが可能なデジタルテレビジョンアンテナに関する。
【背景技術】
【０００２】
科学技術の発展に伴い、通信技術の中心は有線通信技術から無線通信技術に変わってきている。特にデジタルテレビジョン信号の伝送に無線通信技術を応用した場合、屋外や移動の際にも無線デジタルテレビジョンを視聴することができるようになり、テレビの視聴可能な場所は室内だけに限定されなくなる。そのため、信号受信の品質は最も重視され、信号受信を行うアンテナ装置は無線デジタルテレビジョンにとって最も重要な部品の一つであった。
【０００３】
従来のデジタルテレビジョン信号を受信する携帯装置は、１本の金属製棒状アンテナであった。この構造は簡単であったが、それが有するインピーダンス帯域幅および放射効率は、デジタルテレビジョン帯域幅にとって受信特性が良好でなかった。
【発明の開示】
【発明が解決しようとする課題】
【０００４】
そのため、良好な受信特性を有するデジタルテレビジョンアンテナが求められていた。
【０００５】
本発明は、上記問題点を鑑みてなされたものであり、受信特性が良好なデジタルテレビジョンアンテナを提供することを目的とする。
【課題を解決するための手段】
【０００６】
（１）  第１の表面と、前記第１の表面と表裏の関係にある第２の表面とを有する基板上に配置され、接地面、第１の放射導体、第２の放射導体および第３の放射導体を備えたデジタルテレビジョンアンテナであって、前記接地面は、前記第１の表面上に配置され、接地点を有する主接地面と、前記主接地面から延伸された延伸接地面と、を有し、前記第１の放射導体は、前記第１の表面上に配置され、第１の側部と、前記第１の側部に対向した第２の側部と、を有し、前記第１の放射導体は、前記接地面に接続され、前記第１の放射導体の前記第１の側部と、前記延伸接地面との間には所定距離が設けられ、前記第１の放射導体上には給電点が設けられ、前記第２の放射導体は、前記第２の表面上に配置されて前記第１の放射導体に接続され、前記第２の放射導体の一部は前記第１の側部を第１の距離で跨ぎ、前記第１の放射導体と重ね合わせ領域を形成し、前記第１の距離は少なくとも０．６ｍｍであり、前記第３の放射導体は、前記第２の表面上に配置されて前記第２の放射導体に接続され、前記第３の放射導体の一部は前記第２の側部を第２の距離で跨ぎ、前記第１の放射導体と重ね合わせ領域を形成し、前記第２の距離は少なくとも０．２ｍｍであることを特徴とするデジタルテレビジョンアンテナ。
【０００７】
（２）  前記第１の放射導体、前記第２の放射導体および前記第３の放射導体は、４７０ＭＨｚ〜８７０ＭＨｚのデジタルテレビジョン周波数帯を受信することを特徴とする（１）に記載のデジタルテレビジョンアンテナ。
【０００８】
（３）  前記第１の距離は０．６ｍｍ〜３．６ｍｍの間であり、前記第２の距離は０．２ｍｍ〜３．６ｍｍの間であることを特徴とする（１）に記載のデジタルテレビジョンアンテナ。
【０００９】
（４）  前記第１の放射導体と接続され、１３０ｍｍよりも短い第１の延伸金属アームをさらに備えることを特徴とする（１）に記載のデジタルテレビジョンアンテナ。
【００１０】
（５）  前記第３の放射導体と接続され、１３０ｍｍよりも短い第２の延伸金属アームをさらに備えることを特徴とする（１）に記載のデジタルテレビジョンアンテナ。
【００１１】
（６）  前記延伸接地面は、第１の延伸部、第２の延伸部および第３の延伸部を有する逆Ｕ字状であり、前記第１の放射導体は、第１の主放射端部および第１の接続端部を有し、前記第１の主放射端部は、所定距離により前記第１の延伸部の側部に配列され、前記第１の接続端部は、前記第２の延伸部の側部に配列されることを特徴とする（１）に記載のデジタルテレビジョンアンテナ。
【００１２】
（７）  前記第１の接続端部には、基板に穿設された少なくとも１つのホールが設けられ、当該ホールにより前記第１の放射導体と前記第２の放射導体とが接続されることを特徴とする（６）に記載のデジタルテレビジョンアンテナ。
【００１３】
（８）  前記所定距離は０．８ｍｍであることを特徴とする（１）に記載のデジタルテレビジョンアンテナ。
【００１４】
（９）  前記第２の放射導体は、第２の主放射端部および第２の接続端部を有し、前記第２の接続端部は、前記第２の主放射端部の側部から延伸され、前記第２の主放射端部の前記側部と平行に配列され、前記第２の主放射端部と前記第２の接続端部との間の距離は１．５ｍｍであることを特徴とする（１）に記載のデジタルテレビジョンアンテナ。
【００１５】
（１０）  前記第２の放射導体から延伸され、前記第２の放射導体の動作周波数を調整することが可能な第１の凸部と、前記第３の放射導体から延伸され、前記第３の放射導体の動作周波数を調整することが可能な第２の凸部と、をさらに備えることを特徴とする（１）に記載のデジタルテレビジョンアンテナ。
【００１６】
（１１）  第１の表面と、前記第１の表面と表裏の関係にある第２の表面とを有する基板上に配置され、接地面、第１の放射導体、第１の延伸金属アーム、第２の放射導体、第３の放射導体および第２の延伸金属アームを備えたデジタルテレビジョンアンテナであって、前記接地面は、前記第１の表面上に配置され、接地点を有する主接地面と、前記主接地面から延伸された逆Ｕ字状の延伸接地面と、を有し、前記第１の放射導体は、前記第１の表面上に配置され、第１の側部と、前記第１の側部に対向した第２の側部と、を有し、前記第１の放射導体は、前記接地面に接続され、前記第１の放射導体の前記第１の側部と、前記延伸接地面との間には所定距離が設けられ、前記第１の放射導体上には給電点が設けられ、前記第１の延伸金属アームは、前記第１の放射導体に接続され、前記第２の放射導体は、前記第２の表面に配置されて前記第１の放射導体に接続され、前記第２の放射導体の一部は前記第１の側部を第１の距離で跨ぎ、前記第１の放射導体と重ね合わせ領域を形成し、前記第３の放射導体は、前記第２の表面上に配置されて前記第２の放射導体に接続され、前記第３の放射導体の一部は前記第２の側部を第２の距離で跨ぎ、前記第１の放射導体と重ね領域を形成し、前記第２の延伸金属アームは、前記第３の放射導体と接続されていることを特徴とするデジタルテレビジョンアンテナ。
【００１７】
（１２）  前記第１の放射導体、前記第２の放射導体および前記第３の放射導体は、４７０ＭＨｚ〜８７０ＭＨｚのデジタルテレビジョン周波数帯を受信することを特徴とする（１１）に記載のデジタルテレビジョンアンテナ。
【００１８】
（１３）  前記第１の距離は０．６ｍｍ〜３．６ｍｍの間であり、前記第２の距離は０．２ｍｍ〜３．６ｍｍの間であることを特徴とする（１１）に記載のデジタルテレビジョンアンテナ。
【００１９】
（１４）  前記第１の延伸金属アームは、１３０ｍｍよりも短く、前記第２の延伸金属アームは、１３０ｍｍよりも短いことを特徴とする（１１）に記載のデジタルテレビジョンアンテナ。
【００２０】
（１５）  前記延伸接地面は、第１の延伸部、第２の延伸部および第３の延伸部を有する逆Ｕ字状であり、前記第１の放射導体は、第１の主放射端部および第１の接続端部を含み、前記第１の主放射端部は、所定距離により前記第１の延伸部の側部に配列され、前記第１の接続端部は、前記第２の延伸部の側部に配列されることを特徴とする（１１）に記載のデジタルテレビジョンアンテナ。
【００２１】
（１６）  前記第１の接続端部には、基板に穿設された少なくとも１つのホールが設けられ、当該ホールにより前記第１の放射導体と前記第２の放射導体とが接続されることを特徴とする（１５）に記載のデジタルテレビジョンアンテナ。
【００２２】
（１７）  前記所定距離は０．８ｍｍであることを特徴とする（１１）に記載のデジタルテレビジョンアンテナ。
【００２３】
（１８）  前記第２の放射導体は、第２の主放射端部および第２の接続端部を備え、  前記第２の接続端部は、前記第２の主放射端部の側部から延伸され、前記第２の主放射端部の前記側部と平行に配列され、前記第２の主放射端部と前記第２の接続端部との間の距離は１．５ｍｍであることを特徴とする（１１）に記載のデジタルテレビジョンアンテナ。
【００２４】
（１９）  前記第２の放射導体から延伸され、前記第２の放射導体の動作周波数を調整することが可能な第１の凸部と、前記第３の放射導体から延伸され、前記第３の放射導体の動作周波数を調整することが可能な第２の凸部と、をさらに備えることを特徴とする（１１）に記載のデジタルテレビジョンアンテナ。
【発明の効果】
【００２５】
本発明のデジタルテレビジョンアンテナは、良好な受信特性を提供することができる。
【発明を実施するための最良の形態】
【００２６】
図１を参照する。図１は、本発明の好適な実施形態によるデジタルテレビジョンアンテナ１００を示す斜視図である。このデジタルテレビジョンアンテナ１００は、４７０ＭＨｚ〜８７０ＭＨｚのデジタルテレビジョン周波数帯を受信するために用い、基板１２０の互いに表裏の関係にある第１の表面１２０ａおよび第２の表面１２０ｂ上に配置されている。
【００２７】
本実施形態のデジタルテレビジョンアンテナ１００は、３つの放射導体（第１の放射導体１０２、第２の放射導体１０４および第３の放射導体１０６）および接地面１０８を含む。第１の放射導体１０２および接地面１０８は、基板１２０の第１の表面１２０ａ上に配置され、第２の放射導体１０４および第３の放射導体１０６は、基板１２０の第２の表面１２０ｂ上に配置されている。ここで、図１では基板１２０が透明で表されているため、第２の放射導体１０４および第３の放射導体１０６の一部は、第１の放射導体１０２と重なっていることがわかる。また、第１の放射導体１０２の端部は、第１の延伸金属アーム１１０と接続され、第３の放射導体１０６の端部は、第２の延伸金属アーム１１２と接続されている。
【００２８】
図２を参照する。図２は、本発明の第１実施形態による第１の放射導体１０２および接地面１０８を示す部分拡大図である。第１の放射導体１０２および接地面１０８は、基板１２０の第１の表面１２０ａ上に配置されている。
【００２９】
接地面１０８は、主接地面１０８１と、主接地面１０８１から延伸された延伸接地面１０８２とを含む。主接地面１０８１上には接地点１０８３が設けられ、延伸接地面１０８２はメアンダ形状である。第１実施形態では、メアンダ形状の延伸接地面１０８２は、第１の延伸部１０８２１、第２の延伸部１０８２２および第３の延伸部１０８２３から構成された逆Ｕ字状に形成されているが、延伸接地面１０８２の形状は、本実施形態の形状のみに限定されるわけではない。
【００３０】
第１の放射導体１０２は、第１の主放射端部１０２１および第１の接続端部１０２２を含む。第１の主放射端部１０２１と、延伸接地面１０８２の第１の延伸部１０８２１とは、互いに平行に配列され、本実施形態では０．８ｍｍの所定距離ｄ１で離間されているが、この所定距離ｄ１は、必ずしも０．８ｍｍに限定されるわけではない。給電点１０２４は、第１の主放射端部１０２１の主接地面１０８１に隣接した側部に設けられている。好適な実施形態では、給電点１０２４と接地点１０８３とをできるだけ近づけるために、第１の主放射端部１０２１には、主接地面１０８１に隣接した側部から延伸された階段状の金属アーム１０２５が形成されてもよい。第１の接続端部１０２２は、延伸接地面１０８２の第２の延伸部１０８２２に対し平行に配列されている。この第１の接続端部１０２２上には、基板１２０に穿設された少なくとも１つのホール１０２３が設けられ、このホール１０２３を介して第１の放射導体１０２と第２の放射導体１０４とが接続されている。第１実施形態では、線幅が０．８ｍｍの金属アーム１０２６が、第１の主放射端部１０２１の側部から延伸され、第１の接続端部１０２２と接続されている。アンテナの有効長または面積は、動作周波数および波長と関係しているため、帯域に適合させるために、図３または図４に示すように、金属アーム１０２６のルートの長さを変えてアンテナを製造してもよい。また、図３に示すように、第１の主放射端部１０２１は、矩形状の金属チップにしてもよい。第１の主放射端部１０２１には、主接地面１０８１に隣接した側部に給電点１０２４が設けられている。つまり、図３に示す構造では、階段状の金属アーム１０２５が形成されていない。ここで、実際の応用では、金属アーム１０２６の形状および第１の主放射端部１０２１の形状は、第１実施形態の形状だけに限定されるわけではない。さらに、第１の接続端部１０２２は、第１の延伸金属アーム１１０に外付けされている。この第１の延伸金属アーム１１０は、長さ１３０ｍｍ以下の伸縮可能な露出型アンテナである。第１実施形態では、給電点１０２４および接地点１０８３は、同軸ケーブル（図示せず）に接続されている。詳細には、給電点１０２４は、同軸ケーブルの内芯に接続され、接地点１０８３は、同軸ケーブルの金属編組層に接続されている。
【００３１】
図５を参照する。図５は、本発明の第１実施形態による第２の放射導体１０４および第３の放射導体１０６を示す部分拡大図である。第２の放射導体１０４および第３の放射導体１０６は、基板１２０の第２の表面１２０ｂ上に配置されている。
【００３２】
第２の放射導体１０４は、第２の主放射端部１０４１および第２の接続端部１０４２を含む。第２の主放射端部１０４１は縦長形状であり、第２の接続端部１０４２は、第２の主放射端部１０４１の側部から延伸され、第２の主放射端部１０４１の側部に対して平行に配列され、１．５ｍｍの所定距離ｄ２で離間されているが、この所定距離ｄ２は、必ずしも１．５ｍｍに限定されるわけではない。第２の接続端部１０４２上には、基板１２０に穿設されたホール１０４３が設けられ、このホール１０４３により、第１の放射導体１０２と第２の放射導体１０４とが接続されている。アンテナの有効長または面積は、動作周波数および波長と関係しているため、第２の主放射端部１０４１の側部（例えば、第３の放射導体１０６に隣接した側部）から延伸された第１の凸部１０４４を設けてもよい。これにより、第２の主放射端部１０４１の面積を変え、要求帯域に適合するアンテナを製造してもよい。ここで、第２の主放射端部１０４１から延伸された第１の凸部１０４４の位置は、必ずしも本実施形態の位置に限定されるわけではない。例えば、図６に示すように、第１の凸部１０４４を第２の放射導体１０４の基板１２０に隣接した側部から延伸させたり、図７に示すように、第１の凸部１０４４を形成しなくともよい。
【００３３】
第３の放射導体１０６は、主放射端部１０６１および接続端部１０６２を含む。主放射端部１０６１は、縦長形状であり、第２の放射導体１０４に対して平行に配列され、第２の放射導体１０４の側部と接続されている。また、接続端部１０６２と、第２の放射導体１０４の接続端部１０４２とを互いに平行に配列させることができるように、接続端部１０６２が主放射端部１０６１の側部に接続されている。接続端部１０６２と第２の接続端部１０４２とは、１．３ｍｍの所定距離ｄ３で離間されているが、この所定距離ｄ３は、必ずしも１．３ｍｍだけに限定されるわけではない。また、接続端部１０６２は、第２の延伸金属アーム１１２と外付けされている。この第２の延伸金属アーム１１２は、アンテナ長１３０ｍｍよりも短い伸縮可能な露出型アンテナである。アンテナの有効長または面積は、動作周波数および波長と関係しているため、主放射端部１０６１の側部から第２の凸部１０６６が延伸されている。このように、主放射端部１０６１の面積を変え、要求帯域に適合したアンテナを製造することができる。ただし、主放射端部１０６１から延伸された第２の凸部１０６６の位置は、図５に示す位置だけに限定されるわけではなく、例えば、図６に示すように、第２の凸部１０６６は、必ずしも第２の放射導体１０４と第３の放射導体１０６との接続箇所に形成させなくともよいし、図７に示すように、第２の凸部１０６６を形成しなくともよい。
【００３４】
図８を参照する。図８は、図１の線Ａ−Ａ’に沿った断面図である。本実施形態では、第２の放射導体１０４は、基板１２０の第１の表面１２０ａ上に設けられた第１の放射導体１０２の接地面１０８に隣接した側部である第１の側部と部分的に重なり合い、共振を発生させる。本実施形態では、第２の放射導体１０４と、第１の放射導体１０２とが重なり合う幅である第１の距離ｄ４は、最小０．６ｍｍであるが、好適には０．６ｍｍ〜３．６ｍｍの間である。また、第３の放射導体１０６は、基板１２０の第１の表面１２０ａ上に配置された第１の放射導体１０２が接地面１０８と隣接されていない側の側部である第２の側部と部分的に重なり合い、共振の発生を防いでいる。本実施形態において、第３の放射導体１０６と、第１の放射導体１０２とが重なり合う幅である第２の距離ｄ５は最小０．２ｍｍであり、好適には０．２ｍｍ〜３．６ｍｍの間である。このように、第２の放射導体１０４および第３の放射導体１０６と、第１の放射導体１０２とが重なり合う面積を調整することにより、共振周波数を変えることができる。
【００３５】
図９を参照する。図９は、本実施形態によるデジタルテレビジョンアンテナのリターンロスを測定した実験結果を示すグラフである。図９のグラフから分かるように、４７０ＭＨｚ〜８７０ＭＨｚのデジタルテレビジョン周波数帯では、−６ｄＢのインピーダンス帯域幅を得ることができる。
【００３６】
当該分野の技術を熟知するものが理解できるように、本発明の好適な実施形態を前述の通り開示したが、これらは決して本発明を限定するものではない。本発明の主旨と領域を脱しない範囲内で各種の変更や修正を加えることができる。従って、本発明の特許請求の範囲は、このような変更や修正を含めて広く解釈されるべきである。
【図面の簡単な説明】
【００３７】
【図１】本発明の好適な実施形態によるデジタルテレビジョンアンテナを示す斜視図である。
【図２】本発明の第１実施形態による第１の放射導体および接地面を示す部分拡大図である。
【図３】本発明の第２実施形態による第１の放射導体および接地面を示す部分拡大図である。
【図４】本発明の第３実施形態による第１の放射導体および接地面を示す部分拡大図である。
【図５】本発明の第１実施形態による第２の放射導体および第３の放射導体を示す部分拡大図である。
【図６】本発明の第２実施形態による第２の放射導体および第３の放射導体を示す部分拡大図である。
【図７】本発明の第３実施形態による第２の放射導体および第３の放射導体を示す部分拡大図である。
【図８】図１の線Ａ−Ａ’に沿った断面図である。
【図９】本発明の好適な実施形態によるデジタルテレビジョンアンテナのリターンロスを測定した実験結果を示すグラフである。
【符号の説明】
【００３８】
１００…デジタルテレビジョンアンテナ、  １０２…第１の放射導体、  １０４…第２の放射導体、  １０６…第３の放射導体、  １０８…接地面、  １１０…第１の延伸金属アーム、  １１２…第２の延伸金属アーム、  １２０…基板、  １２０ａ…第１の表面、  １２０ｂ…第２の表面、  １０２１…第１の主放射端部、  １０２２…第１の接続端部、  １０２３…ホール、  １０２４…給電点、  １０２５…階段状金属アーム、  １０２６…金属アーム、  １０４１…第２の主放射端部、  １０４２…第２の接続端部、  １０４３…ホール、  １０４４…第１の凸部、  １０６１…主放射端部、  １０６２…接続端部、  １０６６…第２の凸部、  １０８１…主接地面、  １０８２…延伸接地面、  １０８３…接地点、  １０８２１…第１の延伸部、  １０８２２…第２の延伸部、  １０８２３…第３の延伸部。
【図１】
2010041704.tif 000003
【図２】
2010041704.tif 000004
【図３】
2010041704.tif 000005
【図４】
2010041704.tif 000006
【図５】
2010041704.tif 000007
【図６】
2010041704.tif 000008
【図７】
2010041704.tif 000009
【図８】
2010041704.tif 000010
【図９】
2010041704.tif 000011